(57)【要約】      （修正有）【課題】製版面の傷付き易い平版印刷版であっても２００〜２０００枚程度の単位で包装できる積載台、並びに前記積載台を用いたシート状物包装方法およびシート状物包装構造の提供。【解決手段】シート状物１０の包装に使用するための積載台２であって、シート状物１０を厚み方向に積層したシート状物が載置される側の積載面２０、および前記積載台２の底面の少なくとも一方に緩衝部材４，３０を設けた積載台、シート状物包装方法、シート状物包装構造。【選択図】図２
2006182401.tif 000002
【特許請求の範囲】
【請求項１】
シート状物の包装に使用するための積載台であって、
シート状物を厚み方向に積層したシート状物束が載置される側の積載面、および前記積載台の底面の少なくとも一方に緩衝部材を設けてなることを特徴とする積載台。
【請求項２】
前記緩衝部材は、少なくとも前記積載面に設けられてなる請求項１に記載の積載台。
【請求項３】
前記緩衝部材は、前記積載面と前記底面とに設けられてなる請求項２に記載の積載台。
【請求項４】
前記緩衝部材は、衝撃吸収性を有する衝撃吸収性材料から形成された板状部材である板状緩衝材である請求項１〜３の何れか１項に記載の積載台。
【請求項５】
シート状物を厚み方向に積層したシート状物束を請求項１〜４の何れか１項に記載の積載台に載置して拘束することを特徴とするシート状物包装方法。
【請求項６】
前記シート状物束を実質的に縦向きの状態で前記積載台に拘束する請求項５に記載のシート状物包装方法。
【請求項７】
前記シート状物は平版印刷版である請求項５または６に記載のシート状物包装方法。
【請求項８】
シート状物を厚み方向に積層してなるシート状物束と、前記シート状物束を積載面に載置する請求項１〜４の何れか１項に記載の積載台と、前記シート状物束を前記積載台の積載面に拘束する拘束手段とを備えることを特徴とするシート状物包装構造。
【請求項９】
前記シート状物束は、実質的に縦向きの状態で前記積載台に拘束されてなる請求項８に記載のシート状物包装構造。
【請求項１０】
前記シート状物は平版印刷版である請求項８または９に記載のシート状物包装構造。
【発明の詳細な説明】
【技術分野】
【０００１】
本発明は、積載台、シート状物包装方法、およびシート状物包装構造に関し、特に、輸送時や荷役時に受ける衝撃によるシート状物の破損を効果的に防止できる積載台、シート状物包装方法、およびシート状物包装構造に関する。
【背景技術】
【０００２】
感光性平版印刷版や感熱性平版印刷版などの平版印刷版の包装形態としては、たとえば、多数枚の平版印刷版を重ねた平版印刷版束の両面を端板で挟持したものを縦向きにして積載台上に載置した形態（特許文献１）や、平版印刷版束を積載台上に水平に載置し、側面を段ボールのような緩衝材で覆った形態（特許文献２）、平版印刷版束を積載台に縦向きまたは水平方向に載置し、部材を介して平版印刷版を拘束したり、平版印刷版束の周囲を固定したりする形態（特許文献３〜５）が一般的であった。
【特許文献１】特開平３−７３９４６号公報
【特許文献２】特開平１０−１９４３５１号公報
【特許文献３】特開２００１−１３９０５５号公報
【特許文献４】特開２００１−１３９０５６号公報
【特許文献５】特開２００１−３０１８１７号公報
【発明の開示】
【発明が解決しようとする課題】
【０００３】
しかしながら、製版面をレーザ光で直接照射して露光するレーザ刷版には、従来の感光型平版印刷版や感熱型平版印刷版に比較して製版面が傷付き易いものがある。
【０００４】
ここで、積載台は、通常は、鉄製や木製、合板製、プラスチック製であるから、積載台そのものには衝撃を吸収する機能は殆どない。したがって、これらの平版印刷版を上述の包装形態で包装したのでは、積載台からの衝撃がそのまま平版印刷版に伝わり、平版印刷版の製版面が傷付いたり破損したりする可能性がある。
【０００５】
したがって、レーザ直接書込み型の平版印刷版の包装形態としては、これまでは、３０〜５０枚の平版印刷版を内装して段ボール箱に収めた個装箱の形態で包装することが一般的であった。
【０００６】
本発明は、上記問題を解決すべく成されたものであり、レーザ刷版のように製版面の傷付き易い平版印刷版であっても２００〜２０００枚程度の単位で包装できる積載台、並びに前記積載台を用いたシート状物包装方法およびシート状物包装構造の提供を目的とする。
【課題を解決するための手段】
【０００７】
請求項１に記載の発明は、シート状物の包装に使用するための積載台であって、シート状物を厚み方向に積層したシート状物束が載置される側の積載面、および前記積載台の底面の少なくとも一方に緩衝部材を設けてなることを特徴とする積載台に関する。
【０００８】
前記積載台においては、輸送時や荷役時にトラックの荷台や倉庫の床面などから受ける衝撃は、緩衝部材で低減され、積載面に載置されたシート状物束には直接には伝わらない。
【０００９】
したがって、シート状物としてレーザ刷版のように製版面が傷付き易い平版印刷版を積載した場合においても、輸送時や荷役時の衝撃によって製版面が傷付き、品質不具合が生じることが防止される。
【００１０】
しかも、シート状物を２００〜２０００枚程度積層してシート状物束を積層した場合においても、シート状物同士が衝撃で互いに移動して表面が損傷することが防止されるから、レーザ刷版を２００〜２０００枚程度の単位で包装する場合にも使用できる。
【００１１】
請求項２に記載の発明は、請求項１に記載の積載台において、前記緩衝部材が少なくとも前記積載面に設けられてなる積載台に関する。
【００１２】
前記積載台においては、トラックの荷台などの固定床面から積載台に伝わった振動は、前記緩衝部材で効果的に遮断される。
【００１３】
したがって、前記積載台は、製版面が傷付き易い平版印刷版の包装に使用した場合の保護効果が高いから、レーザ刷版を２００〜２０００枚程度の単位で包装する場合に特に好適に使用できる。
【００１４】
請求項３に記載の積載台は、請求項２に記載の積載台において、前記緩衝部材が、前記積載面と前記底面とに設けられてなる積載台に関する。
【００１５】
前記積載台においては、固定床面から積載台に伝わった振動は、先ず、底面に設けた緩衝部材で遮断され、底面に設けた緩衝部材で遮断しきれなかった振動も積載面に設けた緩衝部材で遮断される。
【００１６】
したがって、前記積載台は、製版面が傷付き易い平版印刷版の包装に使用した場合の保護効果が特に高い。
【００１７】
請求項４に記載の発明は、請求項１〜３の何れか１項に記載の積載台において、前記緩衝部材が、衝撃吸収性を有する衝撃吸収性材料から形成された板状の部材である板状緩衝材である積載台に関する。
【００１８】
前記積載台は、緩衝部材として板状緩衝材を用いているから、緩衝部材の構成が極めて単純である。
【００１９】
請求項５の発明は、シート状物を厚み方向に積層したシート状物束を請求項１〜４の何れか１項に記載の積載台に載置して拘束することを特徴とするシート状物包装方法に関する。
【００２０】
前記シート状物包装方法でシート状物を包装することにより、積載台の積載面および底面の少なくとも一方に設けられた緩衝部材によってシート状物が輸送時や荷役時の衝撃から保護される。
【００２１】
したがって、レーザ刷版のように製版面が傷付き易い平版印刷版の包装に適用した場合においても、輸送時や荷役時の衝撃によって製版面が傷付き、品質不具合が生じることが防止される。
【００２２】
しかも、シート状物を２００〜２０００枚程度積層してシート状物束を積層した場合においても、シート状物同士が衝撃で互いに移動して表面が損傷することが防止されるから、レーザ刷版を２００〜２０００枚程度の単位で包装する場合にも使用できる。
【００２３】
請求項６に記載の発明は、請求項５に記載のシート状物包装方法において、前記シート状物束を実質的に縦向きの状態で前記積載台に拘束するシート状物包装方法に関する。
【００２４】
前記シート状物包装方法によれば、シート状物は立てた状態で包装されるから、包装を解いてシート状物を取り出すのが極めて容易である。したがって、平版印刷版のように開梱した状態で１枚づつ取り出して使用するようなシート状物の包装に特に好適である。
【００２５】
請求項７に記載の発明は、請求項５または６に記載のシート状物包装方法において、前記シート状物が平版印刷版であるシート状物包装方法に関する。
【００２６】
前記シート状物包装方法は、本発明のシート状物包装方法を平版印刷版の包装に使用した例である。
【００２７】
平版印刷版は、通常、厚さ方向に積層した平版印刷版束の形態で包装されて輸送および荷役される。したがって、輸送および荷役中に平版印刷版束に衝撃が加わると、平版印刷版同士が擦れて製版面に傷が付き、印刷画像が白く抜ける白抜けなどの印刷不良の原因になることがある。
【００２８】
前記シート状物包装方法によれば、輸送および荷役中に平版印刷版束に衝撃が加わることが防止されるから、輸送および荷役中の取り扱いによって製版面に傷が付くことがない。
【００２９】
したがって、製版面の傷付きに起因する印刷不良の発生を効果的に防止できる。
【００３０】
請求項８に記載の発明は、シート状物を厚み方向に積層してなるシート状物束と、前記シート状物束を積載面に載置する請求項１〜４の何れか１項に記載の積載台と、前記シート状物束を前記積載台の積載面に拘束する拘束手段とを備えることを特徴とするシート状物包装構造に関する。
【００３１】
前記シート状物包装構造によれば、シート状物束は、樹脂製のバンドや結束用ロープなどのような拘束手段によって積載台の積載面に拘束される。
【００３２】
したがって、シート状物束は、輸送中や荷役中の衝撃によって積載面から飛び上がったり荷崩れしたりすることがない。また、積載台の積載面や底面に設けられた緩衝部材によって輸送中や荷役中の衝撃は効果的に遮断されるから、シート状物束内でシート状物同士が擦れ合うこともない。
【００３３】
故に、前記シート状物包装構造によれば、輸送中や荷役中の衝撃からシート状物を効果的に保護できる。
【００３４】
請求項９に記載の発明は、請求項８に記載のシート状物包装構造において、前記シート状物束が実質的に縦向きの状態で前記積載台に拘束されてなるシート状物包装構造に関する。
【００３５】
前記シート状物包装構造においては、シート状物束が実質的に縦向きに載置された状態で包装されているから、開梱した状態でシート状物を取り出すのが極めて容易である。
【００３６】
請求項１０に記載の発明は、請求項８または９に記載のシート状物包装構造において前記シート状物が平版印刷版であるシート状物包装構造に関する。
【００３７】
前記シート状物包装構造によれば、平版印刷版を輸送中や荷役中の衝撃から効果的に保護できるから、前記シート状物包装構造は、レーザ刷版のように製版面が傷付き易い平版印刷版の包装に極めて好適な包装形態である。
【発明の効果】
【００３８】
以上説明したように本発明によれば、製版面の傷付き易い平版印刷版であっても２００〜２０００枚程度の単位で包装できる積載台、並びに前記積載台を用いたシート状物包装方法およびシート状物包装構造が提供される。
【発明を実施するための最良の形態】
【００３９】
１．実施形態１
本発明に係るシート状物包装構造の一例である平版印刷版の包装構造体について以下に説明する。
【００４０】
図１〜図３に示すように、実施形態１に係る包装構造体１００は、積載台２と、積載台２上に実質的に縦向きの状態で載置される平版印刷版束１０と、平版印刷版束１０を積載台２に拘束する２本の結束バンド８と、平版印刷版束１０において夫々の結束バンド８が当接する側の端面に当てられる当て板６とを備えている。積載台２、結束バンド８、および平版印刷版束１０は、夫々本発明のシート状物包装構造の備える積載台、拘束手段、およびシート状物束に相当する。なお、当て板６における結束バンド８が当る部分には、帯状の補強片９が挿入されている。
【００４１】
図１〜図３に示すように、積載台２は、全体として椅子状に形成され、平版印刷版束１０を載置する載置部２２と、載置部２２を下方から支持する台座部２４とからなっている。
【００４２】
載置部２２は、全体として略Ｌ字状に形成され、載置部２２は、台座部２４に対して傾斜している支持板２２Ａと、椅子の座面に相当する載置板２２Ｂとからなる。支持板２２Ａは鉛直方向に対し、９〜１５度傾斜し、載置板２２Ｂは、支持板２２Ａに向って下向きに傾斜している。そして、支持板２２Ａと載置板２２Ｂとにおける平版印刷版束１０が接触する側の面が載置面２０とされている。載置面２０における平版印刷版束１０が当接する部分には、板状緩衝材４が設けられている。板状緩衝材４は、本発明における緩衝部材に相当する。
【００４３】
台座部２４は、載置部２２の載置板２２Ｂが固定される略長方形状の上板２６と、同じく略長方形状の底板２８と、上板２６と底板２８とを連結する角材状の脚部２７とを備えている。脚部２７は台座部２４の奥行き方向Ｄに沿って互いに平行に３本設けられている。脚部２７の間には、フォークリフトやハンドリフトのフォークを挿入するための空間２９が形成されている。なお、脚部２７として、角材状の部材の代りにブロック状の部材を用い、積載台２の正面からだけでなく、側面からもフォークリフトやハンドリフトのフォークが挿入できるようにしてもよい。
【００４４】
台座部２４の底板２８の下面には板状緩衝材３０が接着されている。底板２８の下面は、本発明の積載台の底面に相当し、板状緩衝材３０は緩衝部材に相当する。
【００４５】
板状緩衝材４および３０は、本発明における緩衝部材に相当し、厚さは１〜２０ｃｍ程度が好ましい。
【００４６】
板状緩衝材４および板状緩衝材３０としては、圧力に強く、所謂ヘタレが生じない点から、ポリエチレン発泡材の板材が好ましいが、他に天然ゴムやネオプレンゴム、熱可塑性エラストマの板材や発泡材などが挙げられる。更に、段ボール、板バネやコイルバネなどの各種バネ、および制振合金などの振動吸収金属の板も使用できる。
【００４７】
平版印刷版束１０は、平版印刷版を厚み方向に積層したものであるが、平版印刷版のみを厚さ方向に積層したものであってもよく、平版印刷版と合紙とを交互に積層したものであってもよい。更に、所定の枚数毎に積層された平版印刷版の上下に保護用厚紙を挿入してもよい。更に加えて、外部からの光線や温度、湿度の変化などから平版印刷版を保護できるように内装紙で平版印刷版束１０を包装することが好ましい。内装紙としては、クラフト紙にアルミニウム箔を貼着し、必要に応じてポリエチレン樹脂などの防湿層や黒色ポリエチレン樹脂などの防湿・遮光層を設けたものが挙げられる。
【００４８】
平版印刷版束１０を構成する平版印刷版としては、感光性平版印刷版や感熱性平版印刷版などが挙げられる。
【００４９】
なお、包装構造体１００においては、図４および図５に示すように、結束バンド８で平版印刷版束１０を積載台２に拘束する代りに、ストレッチフィルム４０で拘束してもよい。この場合、ストレッチフィルム４０が本発明における拘束手段に相当する。
【００５０】
ストレッチフィルム４０は、上端部が平版印刷版束１０の上面に接触し、下端部が台座部２４に達する高さを有し、中央部を平版印刷版束１０の正面に接触させて両端を図５における矢印Ｌの方向に折り込んだときに、積載台２の支持板２２Ａの背面で両端が重なり合う程度の巾を有している。
【００５１】
ストレッチフィルム４０は、伸縮性のある材料から形成されたフィルムであり、降伏点を超えない範囲で引張られると、一定値以上の収縮力で収縮する。ストレッチフィルム４０としては、ポリエチレン樹脂やエチレン・プロピレン共重合体樹脂、エチレン・酢酸ビニル共重合体樹脂、ポリ塩化ビニル樹脂、ポリエチレンテレフタレート樹脂などから形成された１軸または２軸延伸フィルムがが使用される。ストレッチフィルム４０としてＬＬＤＰＥ（直鎖状低密度ポリエチレン）などの自己接着性フィルムを用いれば、粘着テープや接着剤、留め具などの固定手段を使用することなく端部を固定できる。
【００５２】
ストレッチフィルム４０で平版印刷版束１０を積載台２に拘束する手順は以下の通りである。
【００５３】
先ず、図５に示すように、平版印刷版束１０を内装紙１６で包装し、積載台２に載置する。なお、内装紙１６は、上に説明した内装紙と同様の構成を有している。次に、平版印刷版束１０を積載台２ごとストレッチフィルム４０で巻回する。ストレッチフィルム４０で巻回する回数は、図５に示すように１回のみでもよく、また、２回またはそれ以上であってもよい。平版印刷版束１０と積載台２とを巻回するストレッチフィルム４０は、図５に示すように枚葉状であってもよいが、ロール状のストレッチフィルム４０で平版印刷版束１０と積載台２とを必要な回数だけ巻回してもよい。これにより、図５に示されるように平版印刷版束１０は積載台２に拘束される。
【００５４】
なお、平版印刷版束１０を積載台２に拘束するのに、ストレッチフィルム４０に代えて熱収縮性フィルムを用いてもよい。この場合は、熱収縮性フィルムで平版印刷版束１０を積載台２ごと巻回し、熱収縮性フィルムの末端をテープ等の適宜の手段で固定したのち、前記熱収縮性フィルムに熱風を吹き付けて加熱して熱収縮させればよい。
【００５５】
実施形態１に係る包装構造体１００においては、輸送中にトラックの荷台から伝わってくる振動や、荷役中にフォークリフトのフォークから伝わってくる振動は、板状緩衝材４および板状緩衝材３０で遮断され、平版印刷版束１０には伝達されない。
【００５６】
したがって、平版印刷版束１０を立てた状態で積載台２上に載置しているにも係らず、振動によって平版印刷版が上下動して隣り合う平版印刷版同士が互いに擦れ合って製版面に傷が生じることが防止されるから、レーザ刷版のように製版面が傷付き易い形態の平版印刷版を２００〜２０００枚程度の単位で包装して搬送するのに好適に使用される。
【００５７】
また、平版印刷版束１０は縦向きの状態で積載台２に載置されているから、包装構造体１００を開梱した後に平版印刷版を１枚づつ取り出すことが容易に行なえる。
【００５８】
なお、本実施形態１は、シート状物が平版印刷版である例について述べたが、枚葉状のシート状物であれば、平版印刷版には限定されず、たとえば、金属板を枚葉状の正方形、または長方形状に裁断した枚葉体シートの包装にも適用できる。
【００５９】
２．実施形態２
本発明に包含される平版印刷版の包装構造体の別の例について以下に説明する。
【００６０】
図６〜図８に示すように、実施形態２に係る包装構造体１０２は、積載台５２と、積載台５２上に実質的に水平に載置される平版印刷版束６０と、平版印刷版束６０を積載台２に拘束する３本の結束バンド５８と、平版印刷版束６０における結束バンド５８が当接する側の端面に当てられる当て板５６とを備えている。なお、当て板５６における夫々の結束バンド５８が当る部分には、帯状の補強片５９が挿入されている。積載台５２、平版印刷版束６０、および結束バンド５８は、夫々本発明のシート状物包装構造における積載台、拘束手段、およびシート状物束に相当する。
【００６１】
図６および図７に示すように、積載台５２は、略水平に配設され、平版印刷版束６０が載置される保持台５２Ａと、保持台５２Ａの下面から下方に設けられた２つの脚部５２Ｂとを備える。
【００６２】
保持台５２Ａの上面の中央部には、保持台５２Ａよりも一回り小さなスペーサ５３が固定され、スペーサ５３に板状緩衝材５４が貼付され、その上に平版印刷版束６０が載置される。なお、板状緩衝材５４および平版印刷版束６０は、実施形態１における板状緩衝材４および平版印刷版束１０と同様である。
【００６３】
実施形態２に係る包装構造体１０２においても、輸送中にトラックの荷台から伝わってくる振動や、荷役中にフォークリフトのフォークから伝わってくる振動は、板状緩衝材５４で遮断され、平版印刷版束６０には伝達されない。
【００６４】
したがって、振動によって平版印刷版が水平にズレ動いたり上下動したりして隣り合う平版印刷版同士が互いに擦れ合って製版面に傷が生じることが防止されるから、レーザ刷版のように製版面が傷付き易い形態の平版印刷版を２００〜２０００枚程度の単位で包装して搬送するのに好適に使用される。
【００６５】
更に、平版印刷版束６０は、水平に載置されるから、需要者が、平版印刷版を水平に装入する形態の露光・製版装置を使用している場合には、開梱したそのままの状態で装入を行なえるという特長もある。
【００６６】
３．実施形態３
本発明に包含される平版印刷版の包装構造体の更に別の例について以下に説明する。
【００６７】
図９および図１０に示すように、実施形態３に係る包装構造体１０４は、積載台７２と、積載台７２上に実質的に水平に載置される平版印刷版束８０と、平版印刷版束８０を積載台７２に拘束する井桁状に配置された４本の結束バンド８８と、平版印刷版束８０における結束バンド８８が当接する側の端面に当てられる当て板８６とを備えている。積載台７２、平版印刷版束８０、および結束バンド８８は、夫々本発明のシート状物包装構造における積載台、拘束手段、およびシート状物束に相当する。
【００６８】
積載台７２は、略長方形状の上板７６と、同じく略長方形状の底板７８と、上板７６と底板７８とを連結するブロック状の脚部７７とを備えている。脚部７７の間には、フォークリフトやハンドリフトのフォークを挿入するための空間７９が形成されている。
【００６９】
上板７６の中央部には、上板７６よりも一回り小さなスペーサ７３が固定され、その上に板状緩衝材７４が貼着されている。脚部７７およびスペーサ７３は段ボールなどの緩衝性材料で形成してもよい。
【００７０】
スペーサ７３、板状緩衝材７４、および平版印刷版束８０は、外光や温度、湿度の変化から保護すべく、遮光性の外装材８２で巻回されている。なお、図１においては、スペーサ７３、板状緩衝材７４、および平版印刷版束８０の相対的位置関係が判るように、外装材８２は恰も部分的に破れているように示されている。外装材８２としては、たとえばクラフト紙や段ボールにポリエチレン層のような防水防湿層およびアルミニウム箔や黒色ポリエチレン層のような遮光層を設けたものが挙げられる。
【００７１】
板状緩衝材７４および平版印刷版束８０は、実施形態１における板状緩衝材４および平版印刷版束１０と同様である。
【産業上の利用可能性】
【００７２】
本発明の積載台、シート状物包装方法、およびシート状物包装構造は、枚葉状のシート状物であれば、平版印刷版以外にも適用できる。
【図面の簡単な説明】
【００７３】
【図１】図１は、実施形態１に係る平版印刷版の包装構造体の構成を示す斜視図である。
【図２】図２は、図１に示す包装構造体における積載台と平版印刷版束との相対的な位置関係を示す斜視図である。
【図３】図３は、図１に示す包装構造体における積載台と平版印刷版束との相対的な位置関係を示す側面図である。
【図４】図４は、実施形態１に係る平版印刷版の包装構造体の別の例について構成を示す斜視図である。
【図５】図５は、積載台に平版印刷版束を載置してストレッチフィルムで巻回し、図４に示す包装構造体を形成する手順を示す分解斜視図である。
【図６】図６は、実施形態２に係る平版印刷版の包装構造体の構成を示す斜視図である。
【図７】図７は、図６に示す包装構造体における積載台と平版印刷版束との相対的な位置関係を示す斜視図である。
【図８】図８は、図６に示す包装構造体における積載台と平版印刷版束との相対的な位置関係を示す側面図である。
【図９】図９は、実施形態３に係る平版印刷版の包装構造体の構成を示す斜視図である。
【図１０】図１０は、図９に示す包装構造体における積載台と平版印刷版束との相対的な位置関係を示す斜視図である。
【符号の説明】
【００７４】
２      積載台
４      板状緩衝材
６      当て板
８      結束バンド
１０    平版印刷版束
１６    内装紙
２０    載置面
２２Ｂ  載置板
２２    載置部
２２Ａ  支持板
２４    台座部
２６    上板
２７    脚部
２８    底板
２９    空間
３０    板状緩衝材
４０    ストレッチフィルム
５２Ｂ  脚部
５２    積載台
５２Ａ  保持台
５３    スペーサ
５４    板状緩衝材
５６    当て板
５８    結束バンド
５９    補強片
６０    平版印刷版束
７２    積載台
７３    スペーサ
７４    板状緩衝材
７６    上板
７７    脚部
７８    底板
７９    空間
８０    平版印刷版束
８２    外装材
８８    結束バンド
１００  包装構造体
１０２  包装構造体
１０４  包装構造体
【図１】
2006182401.tif 000003
【図２】
2006182401.tif 000004
【図３】
2006182401.tif 000005
【図４】
2006182401.tif 000006
【図５】
2006182401.tif 000007
【図６】
2006182401.tif 000008
【図７】
2006182401.tif 000009
【図８】
2006182401.tif 000010
【図９】
2006182401.tif 000011
【図１０】
2006182401.tif 000012